(57)【特許請求の範囲】
【請求項１】
デュアルコネクティビティ機能を有するユーザ装置であって、
基地局との無線通信を制御する無線通信制御部と、
前記基地局に能力情報を通知する能力情報通知部と、
を有し、
前記能力情報通知部は、デュアルコネクティビティにおいて当該ユーザ装置がサポートする３つ以上のコンポーネントキャリアから構成されるコンポーネントキャリアの組み合わせに関する上位能力情報と、前記コンポーネントキャリアの組み合わせの複数のサブセットに関する下位能力情報とを通知するユーザ装置。
【請求項２】
前記コンポーネントキャリアの組み合わせのサブセットは、前記３つ以上のコンポーネントキャリアから構成されるコンポーネントキャリアの組み合わせから、少なくとも１つのコンポーネントキャリアを排除することによって構成される、請求項１記載のユーザ装置。
【請求項３】
基地局によるデュアルコネクティビティ通信方法であって、
ユーザ装置から、デュアルコネクティビティにおいて前記ユーザ装置がサポートする３つ以上のコンポーネントキャリアから構成されるコンポーネントキャリアの組み合わせに関する上位能力情報と、前記コンポーネントキャリアの組み合わせの複数のサブセットに関する下位能力情報を受信するステップと、
前記受信した上位能力情報及び下位能力情報に基づき、前記ユーザ装置に対してデュアルコネクティビティのためのスケジューリングを実行するステップと、
を有するデュアルコネクティビティ通信方法。
【請求項４】
前記コンポーネントキャリアの組み合わせのサブセットは、前記３つ以上のコンポーネントキャリアから構成されるコンポーネントキャリアの組み合わせから、少なくとも１つのコンポーネントキャリアを排除することによって構成される、請求項３記載の方法。
【発明の詳細な説明】
【技術分野】
【０００１】
本発明は、無線通信システムに関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ  Ｅｖｏｌｕｔｉｏｎ）の次世代の通信規格として、ＬＴＥ−Ａｄｖａｎｃｅｄの高機能化を図る仕様策定を進めている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００３】
ＬＴＥ  Ｒｅｌｅａｓｅ  １０（Ｒｅｌ−１０）までのキャリアアグリゲーションでは、ユーザ装置（Ｕｓｅｒ  Ｅｑｕｉｐｍｅｎｔ：ＵＥ）が同一の基地局（ｅｖｏｌｖｅｄ  ＮｏｄｅＢ：ｅＮＢ）により提供される複数のコンポーネントキャリアを用いて同時通信することが規定された。一方、Ｒｅｌ−１２では、Ｒｅｌ−１０のキャリアアグリゲーションがさらに拡張され、ユーザ装置が複数の基地局により提供される複数のコンポーネントキャリアを用いて同時通信するデュアルコネクティビティ（Ｄｕａｌ  Ｃｏｎｎｅｃｔｉｖｉｔｙ：ＤＣ）が検討されている。例えば、全てのコンポーネントキャリアを単一の基地局内に収容できない場合、Ｒｅｌ−１０と同程度のスループットを実現するためには、デュアルコネクティビティが効果的に利用されると考えられる。
【先行技術文献】
【非特許文献】
【０００４】
【非特許文献１】Ｒ２−１４４５６０
【発明の概要】
【発明が解決しようとする課題】
【０００５】
デュアルコネクティビティを利用するため、ユーザ装置は、デュアルコネクティビティをサポートしていることを示す能力情報（Ｃａｐａｂｉｌｉｔｙ）を基地局に通知する必要がある。具体的には、この能力情報は、図１に示されるように、ユーザ装置がサポートするデュアルコネクティビティのコンポーネントキャリアの組み合わせ（ＤＣコンフィギュレーション）と共に、各組み合わせについて同期動作（Ｓｙｎｃ）が可能であるか、また、同期及び非同期動作（Ｓｙｎｃ＋Ａｓｙｎｃ）が可能であるかを示す。
【０００６】
例えば、図１のＤＣコンフィギュレーション"ＤＣ＿ｘＡ−ｙＡ"は、ユーザ装置がバンドｘの１つのキャリアとバンドｙの１つのキャリアとの組み合わせによるデュアルコネクティビティをサポートしていることを示し、当該組み合わせが同期的なバンド間デュアルコネクティビティに対応する場合、"Ｓｙｎｃ＝１"が設定され、同期的及び非同期的なバンド間デュアルコネクティビティに対応する場合、"Ｓｙｎｃ＋Ａｓｙｎｃ＝１"が設定される。同様に、ＤＣコンフィギュレーション"ＤＣ＿ｘＡ−ｘＡ"は、ユーザ装置がバンドｘ内の不連続な２つのキャリアの組み合わせによるデュアルコネクティビティをサポートしていることを示し、ＤＣコンフィギュレーション"ＤＣ＿ｘＣ"は、ユーザ装置がバンドｘ内の連続する２つのキャリアの組み合わせによるデュアルコネクティビティをサポートしていることを示す。また、ＤＣコンフィギュレーション"ＤＣ＿ｘＡ−ｙＡ−ｚＡ"は、ユーザ装置がバンドｘの１つのキャリアと、バンドｙの１つのキャリアと、バンドｚの１つのキャリアとの組み合わせによるデュアルコネクティビティをサポートしていることを示す。これら３つのコンポーネントキャリアの組み合わせが同期的なバンド間デュアルコネクティビティに対応する場合、"Ｓｙｎｃ＝１"が設定される一方、当該組み合わせが同期的及び非同期的なバンド間デュアルコネクティビティに対応するかを示す規定は、現状定義されていない（Ｎｏｔ  ｄｅｆｉｎｅｄ）。
【０００７】
上記の３つのコンポーネントキャリアの組み合わせ"ＤＣ＿ｘＡ−ｙＡ−ｚＡ"に対する同期的（Ｓｙｎｃ）なバンド間デュアルコネクティビティの対応可否を除き、３つ以上のコンポーネントキャリアの組み合わせに関する能力情報を通知する規定は、現状定義されていない。このため、３つ以上のコンポーネントキャリアによるデュアルコネクティビティを実現するためには、３つ以上のコンポーネントキャリアの組み合わせに関する能力情報を通知するための規定が必要となる。
【０００８】
また、３つ以上のコンポーネントキャリアの組み合わせによるデュアルコネクティビティでは、各コンポーネントキャリアがどのセルグループに属するか通知する必要がある。例えば、バンドｘ，ｙ，ｚでデュアルコネクティビティを実行する場合、図２に示されるように、バンドｘがセルグループ１に属し、バンドｙ，ｚがセルグループ２に属するケース１と、バンドｘ，ｙがセルグループ１に属し、バンドｚがセルグループ２に属するケース２とが考えられる。ユーザ装置によっては、ケース１しか同期的及び非同期的なデュアルコネクティビティが可能でなく、ケース２では同期的なデュアルコネクティビティしかできない可能性もある。バンドｘ，ｙ，ｚ全体が同期的なデュアルコネクティビティ又は同期的及び非同期的なデュアルコネクティビティをサポートしていることは、"ＤＣ＿ｘＡ−ｙＡ−ｚＡ"に関連する上述した規定により表すことが可能であるかもしれないが、これら２つのケースの区別はできない。
【０００９】
これらのケースを区別するため、各キャリアが何れのセルグループに属するか通知するための追加的な能力情報を定義することも考えられる。しかしながら、このような追加的な能力情報を通知するのに要するシグナリング量の増大が懸念される。
【００１０】
上述した問題点を鑑み、本発明の課題は、３つ以上のコンポーネントキャリアによるデュアルコネクティビティのための能力情報を効率的に通知するための技術を提供することである。
【課題を解決するための手段】
【００１１】
上記課題を解決するため、本発明の一態様は、デュアルコネクティビティ機能を有するユーザ装置であって、基地局との無線通信を制御する無線通信制御部と、前記基地局に能力情報を通知する能力情報通知部とを有し、前記能力情報通知部は、デュアルコネクティビティにおいて当該ユーザ装置がサポートする３つ以上のコンポーネントキャリアから構成されるコンポーネントキャリアの組み合わせに関する上位能力情報と、前記コンポーネントキャリアの組み合わせのサブセットに関する下位能力情報とを通知するユーザ装置に関する。
【００１２】
本発明の他の態様は、基地局によるデュアルコネクティビティ通信方法であって、ユーザ装置から、デュアルコネクティビティにおいて前記ユーザ装置がサポートする３つ以上のコンポーネントキャリアから構成されるコンポーネントキャリアの組み合わせに関する上位能力情報と、前記コンポーネントキャリアの組み合わせのサブセットに関する下位能力情報を受信するステップと、前記受信した下位能力情報に基づき、前記３つ以上のコンポーネントキャリアの何れのコンポーネントキャリアの間で同期的デュアルコネクティビティ又は同期的及び非同期的デュアルコネクティビティが可能であるか判定するステップと、前記判定に基づき、前記同期的デュアルコネクティビティ又は前記同期的及び非同期的デュアルコネクティビティのためのコンポーネントキャリアの組み合わせを前記ユーザ装置に設定し、前記ユーザ装置に対してデュアルコネクティビティのためのスケジューリングを実行するステップとを有するデュアルコネクティビティ通信方法に関する。
【発明の効果】
【００１３】
本発明によると、３つ以上のコンポーネントキャリアによるデュアルコネクティビティのための能力情報を効率的に通知することができる。
【図面の簡単な説明】
【００１４】
【図１】図１は、デュアルコネクティビティに対するＵＥ能力通知例を示す図である。
【図２】図２は、デュアルコネクティビティコンフィギュレーションにおけるキャリア間の同期・非同期の関係を示す概略図である。
【図３】図３は、本発明の一実施例による無線通信システムを示す概略図である。
【図４】図４は、本発明の一実施例によるユーザ装置の構成を示すブロック図である。
【図５】図５は、本発明の一実施例によるＵＥ能力通知例を示す概略図である。
【図６】図６は、本発明の一実施例によるＵＥ能力通知例を示す概略図である。
【図７】図７は、本発明の一実施例によるＵＥ能力通知例を示す概略図である。
【図８】図８は、本発明の一実施例によるＵＥ能力通知例を示す概略図である。
【図９】図９は、本発明の一実施例によるＵＥ能力通知例を示す概略図である。
【図１０】図１０は、本発明の一実施例による基地局によるデュアルコネクティビティ通信処理を示すフロー図である。
【発明を実施するための形態】
【００１５】
以下、図面に基づいて本発明の実施の形態を説明する。
【００１６】
以下の実施例では、デュアルコネクティビティ機能を有するユーザ装置が開示される。後述される実施例を概略すると、ユーザ装置は、３つ以上のコンポーネントキャリアの組み合わせによるデュアルコネクティビティをサポートしているとき、当該コンポーネントキャリアの組み合わせ（ＤＣコンフィギュレーション）を示す上位能力情報と、当該組み合わせのサブセットに関する下位能力情報とを通知することによって、当該コンポーネントキャリアの組み合わせに関する能力情報を基地局に通知する。基地局は、上位能力情報と下位能力情報とに基づき、ＤＣコンフィギュレーションの何れのコンポーネントキャリア間で同期的デュアルコネクティビティ又は同期的及び非同期的デュアルコネクティビティが可能であるか判断することが可能であり、当該判断に基づきユーザ装置に対するスケジューリングを実行することが可能になる。これにより、３つ以上のコンポーネントキャリアの組み合わせのための新たな能力情報を定義及びシグナリングすることなく、３つ以上のコンポーネントキャリアによるデュアルコネクティビティ通信を実現することが可能になる。
【００１７】
まず、図３を参照して、本発明の一実施例による無線通信システムを説明する。図３は、本発明の一実施例による無線通信システムを示す概略図である。
【００１８】
図３に示されるように、無線通信システム１０は、ユーザ装置１００及び基地局２００Ａ，２００Ｂを有する。無線通信システム１０は、ユーザ装置１００が複数の基地局２００Ａ，２００Ｂにより提供されるコンポーネントキャリアＣＣ＃１，ＣＣ＃２を用いて同時通信するデュアルコネクティビティをサポートする。図示されるように、ユーザ装置１００は、デュアルコネクティビティ機能を利用して、マスタ基地局（ＭｅＮＢ）２００Ａとセカンダリ基地局（ＳｅＮＢ）２００Ｂとの間で通信する。図示された実施例では、２つのコンポーネントキャリアＣＣ＃１，ＣＣ＃２しか示されていないが、後述するように、３つ以上のコンポーネントキャリアが利用されてもよい。また、２つの基地局２００Ａ，２００Ｂしか示されていないが、一般には、無線通信システム１０のサービスエリアをカバーするよう多数の基地局２００が配置される。
【００１９】
ユーザ装置１００は、複数の基地局２００Ａ，２００Ｂと同時通信するデュアルコネクティビティ機能を有する。典型的には、ユーザ装置１００は、図示されるように、スマートフォン、携帯電話、タブレット、モバイルルータなどの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００Ａ，２００Ｂとの間で無線信号を送受信するための無線通信装置などから構成される。例えば、後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００２０】
基地局２００Ａ，２００Ｂ（以降、基地局２００として総称されてもよい）は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００Ａがマスタ基地局（ＭｅＮＢ）又はプライマリ基地局として機能し、基地局２００Ｂがセカンダリ基地局（ＳｅＮＢ）として機能する。デュアルコネクティビティでは、マスタ基地局２００Ａが、ユーザ装置１００と基地局２００Ａ，２００Ｂとの間のデュアルコネクティビティによる同時通信を制御すると共に、上位のコアネットワーク（図示せず）との間の通信を制御する。
【００２１】
次に、図４〜９を参照して、本発明の一実施例によるユーザ装置を説明する。図４は、本発明の一実施例によるユーザ装置の構成を示すブロック図である。
【００２２】
図４に示されるように、ユーザ装置１００は、無線通信制御部１１０及び能力情報通知部１２０を有する。
【００２３】
無線通信制御部１１０は、基地局２００との無線通信を制御する。具体的には、無線通信制御部１１０は、マスタ基地局２００Ａ及びセカンダリ基地局２００Ｂとの間でアップリンク／ダウンリンク制御チャネルやアップリンク／ダウンリンクデータチャネルなどの各種無線チャネルを送受信すると共に、マスタ基地局２００Ａ及びセカンダリ基地局２００Ｂにより提供される複数のコンポーネントキャリアを同時使用してマスタ基地局２００Ａ及びセカンダリ基地局２００Ｂと通信するデュアルコネクティビティ通信を実行する。
【００２４】
能力情報通知部１２０は、基地局２００に能力情報を通知する。典型的なデュアルコネクティビティでは、当該能力情報はマスタ基地局２００Ａに通知される。さらに、能力情報通知部１２０は、デュアルコネクティビティにおいてユーザ装置１００がサポートする３つ以上のコンポーネントキャリアから構成されるコンポーネントキャリアの組み合わせに関する上位能力情報と、当該コンポーネントキャリアの組み合わせのサブセットに関する下位能力情報とを通知する。
【００２５】
一実施例では、下位能力情報は、コンポーネントキャリアの組み合わせを構成するコンポーネントキャリアのペアに関する能力情報を含むものであってもよい。具体的には、能力情報通知部１２０は、上位能力情報として３つのコンポーネントキャリアから構成されるコンポーネントキャリアの組み合わせ（ＤＣコンフィギュレーション）"ＤＣ＿ｘＡ−ｙＡ−ｚＡ"と、当該コンポーネントキャリアのサブセット"ＤＣ＿ｘＡ−ｙＡ"、"ＤＣ＿ｘＡ−ｚＡ"及び"ＤＣ＿ｙＡ−ｚＡ"に関する下位能力情報とを基地局２００に通知してもよい。
【００２６】
一例として、ユーザ装置１００が、バンド１（Ｂ１）の１つのキャリアと、バンド３（Ｂ３）の１つのキャリアと、バンド５（Ｂ５）の１つのキャリアとの組み合わせによるデュアルコネクティビティをサポートし、図５に示されるようなキャリア間の同期動作（Ｓｙｎｃ）と同期及び非同期動作（Ｓｙｎｃ＋Ａｓｙｎｃ）とをサポートしているとする。このとき、能力情報通知部１２０は、ＤＣコンフィギュレーション"ＤＣ＿１Ａ−３Ａ−５Ａ"からなる上位能力情報と、３つのサブセットに関する下位能力情報"ＤＣ＿１Ａ−３Ａ：Ｓｙｎｃ"、"ＤＣ＿１Ａ−５Ａ：Ｓｙｎｃ＋Ａｓｙｎｃ"及び"ＤＣ＿３Ａ−５Ａ：Ｓｙｎｃ＋Ａｓｙｎｃ"とを基地局２００に通知する。当該能力情報を受信すると、基地局２００は、受信した上位能力情報と下位能力情報とに基づき、ユーザ装置１００が図５に示されるようなコンポーネントキャリアの組み合わせとコンポーネントキャリア間の同期関係とによるデュアルコネクティビティ通信が可能であると判断できる。
【００２７】
他の例として、ユーザ装置１００が、バンド１（Ｂ１）の連続する２つのキャリアと、バンド５（Ｂ５）の１つのキャリアとの組み合わせによるデュアルコネクティビティをサポートし、図６に示されるようなキャリア間の同期動作（Ｓｙｎｃ）と同期及び非同期動作（Ｓｙｎｃ＋Ａｓｙｎｃ）とをサポートしているとする。このとき、能力情報通知部１２０は、ＤＣコンフィギュレーション"ＤＣ＿１Ｃ−５Ａ"からなる上位能力情報と、２つのサブセットに関する下位能力情報"ＤＣ＿１Ｃ：Ｓｙｎｃ"及び"ＤＣ＿１Ａ−５Ａ：Ｓｙｎｃ＋Ａｓｙｎｃ"とを基地局２００に通知する。当該能力情報を受信すると、基地局２００は、受信した上位能力情報と下位能力情報とに基づき、ユーザ装置１００が図６に示されるようなコンポーネントキャリアの組み合わせとコンポーネントキャリア間の同期関係とによるデュアルコネクティビティ通信が可能であると判断できる。
【００２８】
更なる他の例として、ユーザ装置１００が、バンド４０（Ｂ４０）の連続する３つのキャリアの組み合わせによるデュアルコネクティビティをサポートし、図７に示されるようなキャリア間の同期動作（Ｓｙｎｃ）と同期及び非同期動作（Ｓｙｎｃ＋Ａｓｙｎｃ）とをサポートしているとする。ここで、ユーザ装置１００は、バンド４０内の何れの連続する２つのコンポーネントキャリアの組み合わせでも同期及び非同期動作（Ｓｙｎｃ＋Ａｓｙｎｃ）が可能であるとみなされてもよい。このとき、能力情報通知部１２０は、ＤＣコンフィギュレーション"ＤＣ＿４０Ｄ"からなる上位能力情報と、１つのサブセットに関する下位能力情報"ＤＣ＿４０Ｃ：Ｓｙｎｃ＋Ａｓｙｎｃ"とを基地局２００に通知する。当該能力情報を受信すると、基地局２００は、受信した上位能力情報と下位能力情報とに基づき、ユーザ装置１００が図７に示されるようなコンポーネントキャリアの組み合わせとコンポーネントキャリア間の同期関係とによるデュアルコネクティビティ通信が可能であると判断できる。
【００２９】
更なる他の例として、ユーザ装置１００が、バンド５（Ｂ５）の１つのキャリアと、バンド４０（Ｂ４０）の連続する３つのキャリアとの組み合わせによるデュアルコネクティビティをサポートし、図８に示されるようなキャリア間の同期動作（Ｓｙｎｃ）と同期及び非同期動作（Ｓｙｎｃ＋Ａｓｙｎｃ）とをサポートしているとする。ここで、ユーザ装置１００は、バンド４０内の何れの連続する２つのコンポーネントキャリアの組み合わせでも同期動作（Ｓｙｎｃ）が可能であるとする。このとき、能力情報通知部１２０は、ＤＣコンフィギュレーション"ＤＣ＿５Ａ−４０Ｄ"からなる上位能力情報と、２つのサブセットに関する下位能力情報"ＤＣ＿５Ａ−４０Ａ：Ｓｙｎｃ＋Ａｓｙｎｃ"及び"ＤＣ＿４０Ｃ：Ｓｙｎｃ"とを基地局２００に通知する。当該能力情報を受信すると、基地局２００は、受信した上位能力情報と下位能力情報とに基づき、ユーザ装置１００が図８に示されるようなコンポーネントキャリアの組み合わせとコンポーネントキャリア間の同期関係とによるデュアルコネクティビティ通信が可能であると判断できる。
【００３０】
一実施例では、能力情報通知部１２０は更に、上位能力情報について、下位能力情報を参照すべきであることを示すインジケータを通知してもよい。当該インジケータを受信すると、基地局２００は、上位能力情報に関する下位能力情報が通知されていることを容易に認識することができ、デュアルコネクティビティを設定したコンポーネントキャリアの組み合わせに対して、下位能力情報に応じたデュアルコネクティビティ通信のスケジューリングが可能になる。
【００３１】
一実施例では、能力情報通知部１２０は更に、コンポーネントキャリアの組み合わせのサブセットの全てがデュアルコネクティビティ可能である場合、サブセットの全てをセルグループにマッピングすること（フルフォールバック）が可能であることを示すインジケータを通知してもよい。これにより、シグナリングオーバヘッドを低減することが可能になる。
【００３２】
一実施例では、能力情報通知部１２０は、３つ以上のコンポーネントキャリアから構成されるコンポーネントキャリアの組み合わせ（クラスＤ）によるバンド内デュアルコネクティビティ（Ｉｎｔｒａ−ｂａｎｄ  ＤＣ）について、コンポーネントキャリアの組み合わせのサブセットの何れか１つが同期動作に対応している場合、バンド内のコンポーネントキャリアの全ての組み合わせが同期動作に対応していると通知してもよい。例えば、図８に関して上述したように、バンド４０内の内側の破線により示されるコンポーネントキャリアの組み合わせが同期動作（Ｓｙｎｃ）に対応している場合、能力情報通知部１２０は、バンド４０内の外側の破線により示されるコンポーネントキャリアの組み合わせも同期動作（Ｓｙｎｃ）に対応しているとみなし、"ＤＣ＿４０Ｄ：Ｓｙｎｃ"を基地局２００に通知してもよい。
【００３３】
同様に、能力情報通知部１２０は、３つ以上のコンポーネントキャリアから構成されるコンポーネントキャリアの組み合わせ（クラスＤ）によるバンド内デュアルコネクティビティ（Ｉｎｔｒａ−ｂａｎｄ  ＤＣ）について、コンポーネントキャリアの組み合わせのサブセットの何れか１つが同期及び非同期動作（Ｓｙｎｃ＋Ａｓｙｎｃ）に対応している場合、バンド内のコンポーネントキャリアの全ての組み合わせが同期及び非同期動作（Ｓｙｎｃ＋Ａｓｙｎｃ）に対応していると通知してもよい。例えば、図７に関して上述したように、バンド４０内の内側の破線により示されるコンポーネントキャリアの組み合わせが同期及び非同期動作（Ｓｙｎｃ＋Ａｓｙｎｃ）に対応している場合、能力情報通知部１２０は、バンド４０内の外側の破線により示されるコンポーネントキャリアの組み合わせも同期及び非同期動作（Ｓｙｎｃ＋Ａｓｙｎｃ）に対応しているとみなし、"ＤＣ＿４０Ｄ：Ｓｙｎｃ＋Ａｓｙｎｃ"を基地局２００に通知してもよい。
【００３４】
また、一実施例では、能力情報通知部１２０は、３つ以上のコンポーネントキャリアから構成されるコンポーネントキャリアの組み合わせ（クラスＤ）によるバンド内デュアルコネクティビティ（Ｉｎｔｒａ−ｂａｎｄ  ＤＣ）を含むバンド間デュアルコネクティビティ（Ｉｎｔｅｒ−ｂａｎｄ  ＤＣ）について、バンド内デュアルコネクティビティの何れか１つのコンポーネントキャリアが同期的なバンド間デュアルコネクティビティに対応している場合、当該バンド内デュアルコネクティビティの任意のコンポーネントキャリアとの同期的なバンド間デュアルコネクティビティが可能であることを通知してもよい。例えば、図９（ａ）に示されるように、バンド１において３つのコンポーネントキャリアがバンド内デュアルコネクティビティに対応し、バンド５の１つのコンポーネントキャリアとバンド１の１つのコンポーネントキャリアとが同期的（Ｓｙｎｃ）なバンド間デュアルコネクティビティに対応しているとする。この場合、能力情報通知部１２０は、バンド１の他の何れかコンポーネントキャリアも同期的（Ｓｙｎｃ）なバンド間デュアルコネクティビティに対応しているとみなし、バンド１の他の何れかコンポーネントキャリアも同期的（Ｓｙｎｃ）なバンド間デュアルコネクティビティに対応していることを基地局２００に通知してもよい。例えば、図示された例では、バンド１の２つのコンポーネントキャリアとバンド５の１つのコンポーネントキャリアとが同期的（Ｓｙｎｃ）なバンド間デュアルコネクティビティに対応しているため、能力情報通知部１２０は、下位能力情報として"ＤＣ＿１Ｃ−５Ａ：Ｓｙｎｃ"を基地局２００に通知する。
【００３５】
同様に、能力情報通知部１２０は、３つ以上のコンポーネントキャリアから構成されるコンポーネントキャリアの組み合わせ（クラスＤ）によるバンド内デュアルコネクティビティ（Ｉｎｔｒａ−ｂａｎｄ  ＤＣ）を含むバンド間デュアルコネクティビティ（Ｉｎｔｅｒ−ｂａｎｄ  ＤＣ）について、バンド内デュアルコネクティビティの何れか１つのコンポーネントキャリアが同期的及び非同期的（Ｓｙｎｃ＋Ａｓｙｎｃ）なバンド間デュアルコネクティビティに対応している場合、当該バンド内デュアルコネクティビティの任意のコンポーネントキャリアとの同期的及び非同期的（Ｓｙｎｃ＋Ａｓｙｎｃ）なバンド間デュアルコネクティビティが可能であることを通知してもよい。例えば、図９（ｂ）に示されるように、バンド１において３つのコンポーネントキャリアがバンド内デュアルコネクティビティに対応し、バンド５の１つのコンポーネントキャリアとバンド１の１つのコンポーネントキャリアとが同期的及び非同期的（Ｓｙｎｃ＋Ａｓｙｎｃ）なバンド間デュアルコネクティビティに対応しているとする。この場合、能力情報通知部１２０は、バンド１の他の何れかコンポーネントキャリアも同期的及び非同期的（Ｓｙｎｃ＋Ａｓｙｎｃ）なバンド間デュアルコネクティビティに対応しているとみなし、バンド１の他の何れかコンポーネントキャリアも同期的及び非同期的（Ｓｙｎｃ＋Ａｓｙｎｃ）なバンド間デュアルコネクティビティに対応していることを基地局２００に通知してもよい。例えば、図示された例では、バンド１の２つのコンポーネントキャリアとバンド５の１つのコンポーネントキャリアとが同期的及び非同期的（Ｓｙｎｃ＋Ａｓｙｎｃ）なバンド間デュアルコネクティビティに対応しているため、能力情報通知部１２０は、下位能力情報として"ＤＣ＿１Ｃ−５Ａ：Ｓｙｎｃ＋Ａｓｙｎｃ"を基地局２００に通知する。
【００３６】
次に、図１０を参照して、本発明の一実施例によるデュアルコネクティビティ通信処理を説明する。図１０は、本発明の一実施例による基地局によるデュアルコネクティビティ通信処理を示すフロー図である。
【００３７】
図１０に示されるように、デュアルコネクティビティ機能を有するユーザ装置１００が基地局２００との通信を開始したことに応答して、当該処理は開始される。
【００３８】
ステップＳ１０１において、基地局２００は、ユーザ装置１００からデュアルコネクティビティに関する能力情報を受信する。当該能力情報は、デュアルコネクティビティにおいてユーザ装置１００がサポートする３つ以上のコンポーネントキャリアから構成されるコンポーネントキャリアの組み合わせに関する上位能力情報（ＤＣコンフィギュレーション）と、コンポーネントキャリアの組み合わせのサブセットに関する下位能力情報（サブセットのＤＣコンフィギュレーション）とを含む。
【００３９】
ステップＳ１０２において、基地局２００は、受信した下位能力情報に基づき、３つ以上のコンポーネントキャリアの何れのコンポーネントキャリアの間で同期的デュアルコネクティビティ又は同期的及び非同期的デュアルコネクティビティが可能であるか判定する。
【００４０】
ステップＳ１０３において、基地局２００は、当該判定に基づき、同期的デュアルコネクティビティ又は同期的及び非同期的デュアルコネクティビティのためのコンポーネントキャリアの組み合わせをユーザ装置１００に設定する。
【００４１】
ステップＳ１０４において、基地局２００は、能力情報に応じたユーザ装置１００に対してデュアルコネクティビティのためのスケジューリングを実行する。
【００４２】
ステップＳ１０５において、基地局２００は、デュアルコネクティビティを継続するか判断する。当該判断は、例えば、ユーザ装置１００から取得した各コンポーネントキャリアの品質などに基づき行われてもよい。その後、基地局２００は、ユーザ装置１００との通信を終了する。
【００４３】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４４】
１０  無線通信システム
１００  ユーザ装置
１１０  無線通信制御部
１２０  能力情報通知部
２００  基地局
【図１】
0006457244.tif 000002
【図２】
0006457244.tif 000003
【図３】
0006457244.tif 000004
【図４】
0006457244.tif 000005
【図５】
0006457244.tif 000006
【図６】
0006457244.tif 000007
【図７】
0006457244.tif 000008
【図８】
0006457244.tif 000009
【図９】
0006457244.tif 000010
【図１０】
0006457244.tif 000011